(57)【要約】      （修正有）【課題】照明むらを改善しつつ大型でありながら、簡便な構成にて得ることができる内照式サインを提供する。【解決手段】複数の照明装置１を用いることで大型のものを得ることができ、且つ照明装置１の発光体１１が表示部２と光軸Ｌ１を略平行にして設けられていることで、発光体からの光Ｌ２が適度に拡散されて表示部２に到達すると共に複数の照明装置１間付近の表示部２にも光Ｌ３が到達して照明むらを軽減することができるが、更に導光板等を用いる必要がないことからかかる内照式サインを簡便な構成で得ることができる。【選択図】図１
2008180990.tif 000002
【特許請求の範囲】
【請求項１】
透光性の表示部の背後に複数の照明装置を設け、該照明装置からの光が表示部を透過するようになされた内照式サインであって、該照明装置は発光体の光軸が表示部と略平行に設けられて形成されると共に、複数の照明装置間の境界部分と表示部との間に間隔が設けられていることを特徴とする内照式サイン。
【請求項２】
前記発光体は発光ダイオードであって、該発光ダイオードが複数体隣接して設けられて発光体群が形成され、少なくとも二体の発光体群が、発せられる光の方向を相対向して設けられていることを特徴とする請求項１に記載の内照式サイン。
【請求項３】
前記発光ダイオードは、チップ型の発光ダイオードであることを特徴とする請求項１又は２に記載の内照式サイン。
【請求項４】
前記照明装置は、枠組みされたフレーム体の内側に発光体が取り付けられて形成され、複数の照明装置間の該フレーム体同士が連結可能となされていることを特徴とする請求項１〜３のいずれかに記載の内照式サイン。
【請求項５】
前記フレーム体は、発光体の上下の少なくとも表示部が設けられた側の面が表示部と鋭角をなすように傾斜されて傾斜面となされていることを特徴とする請求項４に記載の内照式サイン。
【発明の詳細な説明】
【技術分野】
【０００１】
本発明は、透光性の表示部の背後に発光装置を設けた内照式サインに関するものである。
【背景技術】
【０００２】
透光性の表示部の背後に発光装置を設けた内照式サインにおいて、大型の内照式サインを得るものとしては、例えば本出願人による、複数のエッジライト方式の導光板を平面状に配置して形成した内照式の表示装置であって、複数の導光板の前面に該前面を覆って一体的に形成された表示部が、導光板と間隔をおいて配置されている導光板式表示装置が開示されている（例えば特許文献１）。
【０００３】
【特許文献１】特開２００４−２４００７３号公報
【発明の開示】
【発明が解決しようとする課題】
【０００４】
しかしながら、引用文献１に記載のような従来の内照式サインでは、照明むらを改善しつつ大型の内照式サインを得ることはできるが、導光板を用いる必要があることから構成が煩瑣なものとなっていた。
【０００５】
本発明は上記の如き課題に鑑みてなされたものであり、照明むらを改善しつつ大型でありながら、簡便な構成にて得ることができる内照式サインを提供せんとするものである。
【課題を解決するための手段】
【０００６】
上記目的を達成するため、本発明は以下のような構成としている。すなわち、本発明に係わる内照式サインは、透光性の表示部の背後に複数の照明装置を設け、該照明装置からの光が表示部を透過するようになされた内照式サインであって、該照明装置は発光体の光軸が表示部と略平行に設けられて形成されると共に、複数の照明装置間の境界部分と表示部との間に間隔が設けられていることを特徴とするものである。
【０００７】
本発明に係わる内照式サインによれば、複数の照明装置を用いることで大型のものを得ることができ、且つ照明装置の発光体が表示部と光軸を略平行にして設けられていることで、発光体からの光が適度に拡散されて表示部に到達すると共に複数の照明装置間付近の表示部にも光が到達して照明むらを軽減することができるが、更に導光板等を用いる必要がないことからかかる内照式サインを簡便な構成で得ることができる。
【０００８】
また前記発光体は発光ダイオードであって、該発光ダイオードが複数体隣接して設けられて発光体群が形成され、少なくとも二体の発光体群が、発せられる光の方向を相対向して設けられていれば、各々が相対向する発光体群付近の表示部を照明することができ、更に照明むらを軽減することができ好ましい。
【０００９】
また前記発光ダイオードは、チップ型の発光ダイオードであれば、特に部材等を用いる必要なく適度な光の拡散を図って照明むらを軽減するのに繋げることができ好ましい。
【００１０】
また前記照明装置は、枠組みされたフレーム体の内側に発光体が取り付けられて形成され、複数の照明装置間の該フレーム体同士が連結可能となされていれば、フレーム体により連結された複数の照明装置の強度を高めることができ好ましい。
【００１１】
また前記フレーム体は、発光体の上下の少なくとも表示部が設けられた側の面が表示部と鋭角をなすように傾斜されて傾斜面となされていれば、複数の照明装置間付近の表示部に向かう光が遮蔽される割合を小さくして、更に照明むらを軽減することができ好ましい。
【発明の効果】
【００１２】
本発明に係わる内照式サインによれば、複数の照明装置を用いることで大型のものを得ることができ、且つ照明装置の発光体が表示部と光軸を略平行にして設けられていることで、発光体からの光が適度に拡散されて表示部に到達すると共に複数の照明装置間付近の表示部にも光が到達して照明むらを軽減することができるが、更に導光板等を用いる必要がないことからかかる内照式サインを簡便な構成で得ることができる。
【発明を実施するための最良の形態】
【００１３】
本発明に係わる最良の実施の形態について、図面に基づき以下に具体的に説明する。
【００１４】
図１は、本発明に係わる内照式サインの、実施の一形態を示す縦断面図である。内照式サイン１０は、透光性の表示部２の背後に照明装置１が設けられて形成され、照明装置１から発せられた光が透過することで、表示部２に描画された情報等が表示されるようになされたものである。照明装置１は、枠組みされて形成されたアルミニウム押出形材製のフレーム体１２の内側にチップ型の発光ダイオードである発光体１１が取り付けられて設けられたものであり、発光体１１の光軸Ｌ１は表示部２と略平行となるようになされている。また相対向するフレーム体１２Ａ及び１２Ｂにはそれぞれ光の発する方向が相対するように発光体１１Ａ及び１１Ｂが設けられている。照明装置１の、表示部２が設けられた側と反対側は光拡散板１３により閉塞され、光拡散板１３と、フレーム体１２Ａ及び１２Ｂは、少なくとも内側が白色に近似する色調となされて、発光体１１Ａ及び１１Ｂから発せられた光が無駄なく照明に用いられるように図られている。
【００１５】
照明装置１は複数並べて配置されると共に、各々が照明装置１間に渡されたプレート４１をビス４２によりビス止めする連結手段４により連結されているが、隣接する照明装置１同士の境界部分はフレーム体１２となることから照明むらの原因となることが考え得る。ここで照明装置１と表示部２との間には間隔Ｋが設けられ、且つ発光体１１の光軸Ｌ１が表示部２と略平行となされていることで、発光体１１から発せられた光の拡散光Ｌ２により表示部２が照明されると共に、フレーム体１Ａ付近の表示部２には、相対向するフレーム体１２Ｂに設けられた発光体１１Ｂからの光Ｌ３が到達して照明がなされることで、隣接する照明装置１同士の境界部分における照明むらの発生は格段に軽減される。また導光板を用いる必要がないので、用いる発光ダイオードの数が少なくて済み、且つ照明装置１を軽量なものとすることができる。
【００１６】
間隔Ｋは、フレーム体１２Ｂが発光体１１Ａからの光により表示部２の影とならない程度の間隔としておくのが好ましく、フレーム体１２Ｂと発光体１１Ａとの距離が大きくなるほど間隔Ｋも大きくするのが好ましいが、余りに大きくし過ぎると発光輝度の低下を招くこともあり、１０〜１００ｍｍ程度が好適である。
【００１７】
図２は、図１に示した照明装置１の、フレーム体１２の変形の一例を示す縦断面図である。フレーム体１２は同じくアルミニウム押出形材製のものであり、発光体１１が設けられた上下の、表示部２が設けられた側が、表示部２と鋭角をなすように傾斜された傾斜面１２１となされている。かかる傾斜面１２１により、光Ｌ３が表示部２に届きやすくなると共に、フレーム体１２Ａに当たった光Ｌ４が傾斜面１２１により表示部２側に反射されることで、更にフレーム体１２Ａ付近の表示部２を明るく照明して、照明むらを軽減させることができる。
【００１８】
図３は、図２に示した内照式サインの、変形の一例を示す縦断面図である。照明装置１の表裏面両方の側に表示部２Ａ及び２Ｂが設けられ、照明装置１の表裏面はいずれも開放されて発光体１１Ａ及び１１Ｂから発せられた光が表裏いずれも照明可能な両面発光となされて両方の表示部２Ａ及び２Ｂを内照できるようになされている。フレーム体１２の、発光体１１が設けられた上下いずれの側の面も表示部２Ａ及び２Ｂと鋭角となるように傾斜された傾斜面１２１Ａ及び１２１Ｂとなされ、表裏いずれの表示部２Ａ及び２Ｂに対しても等しく照明むらが軽減されるようになされたものである。かかる構成により、表示部が片面に設けられたものは許より、両面に設けられたものについても簡便な構成により照明装置１による内照を図ることができる。
【００１９】
図４は、上記照明装置１を用いた内照式サイン１０の形成方法の一例を示す説明図である。照明装置１は、左右縦枠を構成し発光体１１が設けられたフレーム体１２Ａ及び１２Ｂと、上下横枠を構成するフレーム体１２Ｃとが枠組みされて形成され、発光体１１であるチップ型の発光ダイオードが略等間隔でフレーム体１２Ａ及び１２Ｂに取り付けられることで、フレーム体１２Ａ及び１２Ｂの内側に発光体群１１０が形成されている。隣接する照明装置１Ａ及び１Ｂは、隣接するフレーム１２同士がボルト止めにより連結可能となされており、照明装置１を複数連結することで、所望の大きさの表示部２を内照することができる。照明装置１同士の連結手段４は、ビス止めに限定されるものではなく、ボルト止めや、別部材を用いて連結したり、フレーム体１２に雄雌の摺動自在の連結溝を設けて嵌合させて連結したりすることもできる。
【００２０】
かかる照明装置１Ａ及び１Ｂは、同じく表裏面が開放されたサイン枠体３内に収容される。サイン枠体３は厚みが照明装置１の厚みより大きくなされることで、サイン枠体３の表裏に設けられた表示部２と収容された照明装置１との間に間隔が設けられるようになされている。サイン枠体３が設けられることで照明装置１の保護を図ることができるが、サイン枠体３を設けることなく照明装置１と表示部２との間にスペーサー等を設けて間隔を設けるようにしてもよい。また照明装置１のいずれか一体が故障した場合でも、照明装置１ごと交換することで迅速な修復が可能であり、また故障した照明装置１のみを取り外して修理を行い再度用いることも可能となり得る。
【図面の簡単な説明】
【００２１】
【図１】本発明に係わる内照式サインの、実施の一形態を示す縦断面図である。
【図２】図１に示した照明装置の、変形の一例を示す縦断面図である。
【図３】図２に示した内照式サインの、変形の一例を示す縦断面図である。
【図４】本発明に係わる内照式サインの、形成方法の一例を示す説明図である。
【符号の説明】
【００２２】
１    照明装置
１１  発光体
１１０  発光体群
１２  フレーム体
１２１  傾斜面
２    表示部
１０  内照式サイン
Ｋ    間隔
【図１】
2008180990.tif 000003
【図２】
2008180990.tif 000004
【図３】
2008180990.tif 000005
【図４】
2008180990.tif 000006